(57)【要約】【課題】使用者の任意の位置を基準に特定地点方向、特にメッカ方向を指示し得る携帯端末機の特定地点方向コンパス表示装置及びその表示方法を提供する。【解決手段】携帯端末機に位置情報、制御命令、ダイヤリング信号及びデータ情報を入力するキーボード部１００と、メッカ方向を演算して出力する制御部２００と、地名情報、電子地図情報及びメッカ情報を含んで格納して出力するメモリ部３００と、現在の位置情報、メッカ位置情報及び方位情報を入力／演算して方向演算及びコンパス演算をする演算部４００と、地磁気により現在位置の方位を演算出力する地磁気部５００と、移動通信基地局と無線接続して通信信号を送受信する無線部６００と、メッカ位置をコンパス方向に表示して携帯端末機の運用情報を表示する表示部７００とを含んで構成する。【選択図】図５
2004361918.tif 000002
【特許請求の範囲】
【請求項１】
携帯端末機に位置情報、制御命令、ダイヤリング信号及びデータ情報を入力するキーボード部と、
前記キーボード部から位置情報、制御命令及びダイヤリング信号を入力／解析し、前記携帯端末機の各機能部を監視（ｍｏｎｉｔｏｒ）／制御することで、特定地点方向を演算して出力する制御部と、
前記制御部の制御によって地名別位置情報、電子地図情報、及び特定地点位置情報を記録／保存／出力するメモリ部と、
前記制御部から現在の位置情報、特定地点位置情報、及び方位情報を入力／演算して方向処理及びコンパス演算をする演算部と、
前記制御部の制御によって地磁気を検出して現在位置における方位情報を演算／出力する地磁気部と、
前記制御部の制御によって移動通信基地局と無線通信して通信信号を送受信する無線部と、
前記制御部の制御によって特定地点位置のコンパス方位点（ｃｏｍｐａｓｓ  ｐｏｉｎｔ）の表示、及び携帯端末機の運用情報を表示する表示部とを含んで構成されることを特徴とする携帯端末機の特定地点方向コンパス表示装置。
【請求項２】
前記メモリ部は、前記制御部の制御によって地名に対応する緯度及び経度情報を記録／保存／出力する地名部と、
前記制御部の制御によって電子化された地図情報の対応する緯度及び経度情報を記録／保存／出力する電子地図部と、
前記制御部の制御によって特定地点位置の緯度及び経度情報を記録／保存／出力する特定地点位置部と、
前記制御部の制御によって携帯端末機の運用に必要な情報を記録／保存／出力する補足情報部とから構成されることを特徴とする請求項１記載の携帯端末機の特定地点方向コンパス表示装置。
【請求項３】
前記演算部は、前記制御部から入力される特定地点位置情報及び現在位置情報を演算して特定地点の方向情報を演算／出力する方向演算部と、
前記制御部のデータ及び制御によって現在位置におけるコンパス方位点を演算し、特定地点方向を付加して出力するコンパス演算部とから構成されることを特徴とする請求項１記載の携帯端末機の特定地点方向コンパス表示装置。
【請求項４】
前記コンパス演算部は、前記制御部によって前記地磁気部で演算した現在位置における方位情報、及び前記方向演算部で演算した特定地点方向情報を入力し、コンパス方位点に従った動的情報に特定地点方向を付加して出力することを特徴とする請求項３記載の携帯端末機の特定地点方向コンパス表示装置。
【請求項５】
前記地磁気部は、前記制御部の制御によって現在位置の地磁気をリアルタイム測定にて動的出力することを特徴とする請求項１記載の携帯端末機の特定地点方向コンパス表示装置。
【請求項６】
前記無線部は、前記制御部の制御によって基地局と無線通信して通信信号を送受信する高周波部を有することを特徴とする請求項１記載の携帯端末機の特定地点方向コンパス表示装置。
【請求項７】
前記表示部は、前記制御部の制御によって特定地点方向を相対的固定方位にて表示するか、又はリアルタイム動的コンパス方位点表示にて表示することを特徴とする請求項１記載の携帯端末機の特定地点方向コンパス表示装置。
【請求項８】
前記特定地点は、メッカ（Ｍｅｃｃａ）であることを特徴とする請求項１記載の携帯端末機の特定地点方向コンパス表示装置。
【請求項９】
携帯端末機に制御命令及びダイヤリング信号を入力するキーボード部と、
前記キーボード部から入力された制御命令及びダイヤリング信号を解析し、基地局位置情報を現在位置情報として出力し、演算された特定地点方向を表示部に出力する制御部と、
前記制御部の制御によって運用情報を記録／保存／出力するメモリ部と、
前記制御部から現在位置情報、特定地点位置情報及び方位情報を入力／演算して方向処理及びコンパス演算処理をする演算部と、
前記制御部の制御によって地磁気を検出し、現在位置における方位情報を演算／出力する地磁気部と、
前記制御部の制御によって移動通信基地局と無線通信し、通信信号を送受信して基地局情報を検索／受信する無線部と、
前記制御部の制御によって特定地点位置のコンパス方位点表示、及び携帯端末機の運用情報を表示する表示部とを含んで構成されることを特徴とする携帯端末機の特定地点方向コンパス表示装置。
【請求項１０】
前記演算部は、前記制御部から入力される特定地点位置情報及び現在位置情報を演算して特定地点の方向情報を演算／出力する方向演算部と、
前記制御部のデータ及び制御によって現在位置におけるコンパス方位点を演算し、特定地点方向を付加して出力するコンパス演算部とから構成されることを特徴とする請求項９記載の携帯端末機の特定地点方向コンパス表示装置。
【請求項１１】
前記コンパス演算部は、前記制御部によって前記地磁気部で演算した現在位置における方位情報、及び前記方向演算部で演算した特定地点方向情報を入力し、コンパス方位点に従った動的情報に特定地点方向を付加して出力することを特徴とする請求項１０記載の携帯端末機の特定地点方向コンパス表示装置。
【請求項１２】
前記地磁気部は、前記制御部の制御によって現在位置の地磁気をリアルタイム測定にて動的出力することを特徴とする請求項９記載の携帯端末機の特定地点方向コンパス表示装置。
【請求項１３】
前記無線部は、前記制御部の制御によって移動通信基地局と無線通信して通信信号を送受信し、基地局データベースを検索して基地局位置情報を読み出す高周波部を有することを特徴とする請求項９記載の携帯端末機の特定地点方向コンパス表示装置。
【請求項１４】
前記表示部は、前記制御部の制御によって特定地点方向を相対的固定方位にて表示するか、又はリアルタイム動的コンパス方位点表示にて表示することを特徴とする請求項９記載の携帯端末機の特定地点方向コンパス表示装置。
【請求項１５】
前記特定地点は、メッカ（Ｍｅｃｃａ）であることを特徴とする請求項９記載の携帯端末機の特定地点方向コンパス表示装置。
【請求項１６】
携帯端末機を用いて特定地点方向を確認する場合、位置情報を地名で入力するか、地図検索で入力するか、又は手動（ｍａｎｕａｌ）入力するかを判断する開始段階と、
前記開始段階の判断結果として地名で入力する場合、対応するメモリ部から地名を検索して位置情報を入力する地名ルーチン段階と、
前記開始段階の判断結果として電子地図検索で入力する場合、対応するメモリ部の電子地図データを表示部に表示し、現在位置を検索して位置情報として入力する地図ルーチン段階と、
前記開始段階の判断結果として手動入力する場合、現在位置の緯度及び経度情報をキーボード部を通して手動入力する手動ルーチン段階と、
前記対応するメモリ部から特定地点位置情報を検索して特定地点方向を演算処理する特定地点段階と、
前記特定地点段階で演算された特定地点方向及び現在位置情報を利用して、特定地点方向を固定された基準方位として静的表示するか、又は、リアルタイムに連動するコンパス方位点として動的表示する方位ルーチン段階とを有することを特徴とする携帯端末機の特定地点方向コンパス表示方法。
【請求項１７】
前記開始段階は、携帯端末機を用いて特定地点の位置方向を確認するかどうかを判断する段階と、
前記携帯端末機を用いて特定地点の位置方向を確認するかどうかを判断する段階で携帯端末機を用いて特定地点の位置方向を確認する場合、現在位置情報を地名で入力するか、電子地図を検索して入力するか、又は、手動入力するかを判断する段階とを有することを特徴とする請求項１６記載の携帯端末機の特定地点方向コンパス表示方法。
【請求項１８】
前記地名ルーチン段階は、現在位置の緯度及び経度情報を地名選択で入力するかどうかを判断する第１地名段階と、
前記第１地名段階の判断結果として地名選択で現在位置情報が入力された場合、メモリ部から地名を検索する第２地名段階と、
前記第２地名段階で検索された地名を選択して位置情報として入力するかどうかを判断し、位置情報として選択された地名を入力しない場合、前記第１地名段階に帰還する第３地名段階と、
前記第３地名段階の判断結果として検索された地名が選択入力される場合、選択された地名の経度及び緯度情報を現在位置情報として入力する第４地名段階とを有することを特徴とする請求項１６記載の携帯端末機の特定地点方向コンパス表示方法。
【請求項１９】
前記地図ルーチン段階は、現在位置の緯度及び経度情報を電子地図検索で入力するかどうかを判断する第１地図段階と、
前記第１地図段階の判断結果として電子地図検索で現在位置情報が入力される場合、メモリ部の電子地図データを読み出して表示部に表示する第２地図段階と、
前記第２地図段階で表示された電子地図をキーボード部の対応するキーボタンで通常検索及び詳細検索をして現在位置を検索する第３地図段階と、
前記第３地図段階で検索された電子地図の現在位置を選択して位置情報として入力するかどうかを判断し、電子地図の現在位置を位置情報として入力しない場合、前記第１地図段階に帰還する第４地図段階と、
前記第４地図段階の判断結果として検索された電子地図の現在位置を選択入力する場合、選択された位置の経度及び緯度情報を現在位置情報として入力する第５地図段階とを有すること特徴とする請求項１６記載の携帯端末機の特定地点方向コンパス表示方法。
【請求項２０】
前記手動ルーチン段階は、現在位置の緯度及び経度情報を手動入力するかどうかを判断する第１手動段階と、
前記第１手動段階の判断結果として現在位置情報を手動入力する場合、キーボード部に現在位置の緯度及び経度情報を手動入力する第２手動段階と、
前記第２手動段階で手動入力された位置情報を選択するかどうかを判断して、手動入力された位置情報を選択しない場合、前記第１手動段階に帰還する第３手動段階と、
前記第３手動段階の判断結果として手動入力された位置情報を選択する場合、手動入力された緯度及び経度情報を現在位置情報として入力する第４手動段階とを有することを特徴とする請求項１６記載の携帯端末機の特定地点方向コンパス表示方法。
【請求項２１】
前記特定地点段階は、携帯端末機の制御部によってメモリ部から特定地点位置の緯度及び経度情報を検索する段階と、
前記入力された現在位置情報及び検索された特定地点位置情報を演算部で演算処理して特定地点方向を出力する段階とを有することを特徴とする請求項１６記載の携帯端末機の特定地点方向コンパス表示方法。
【請求項２２】
前記方位ルーチン段階は、前記演算処理された特定地点方向を携帯端末機の表示部に基準方位にて静的固定表示するか、又は、コンパス方位点と連動し動的表示するかを判断する判断段階と、
前記判断段階で特定地点方向を基準方位表示と判断した場合、演算された固定基準方位に特定地点方向を相対表示する基準段階と、
前記判断段階で特定地点方向をコンパス方位点表示と判断した場合、リアルタイムに演算されたコンパス方位点に特定地点方向を連動表示するコンパス段階とを有することを特徴とする請求項１６記載の携帯端末機の特定地点方向コンパス表示方法。
【請求項２３】
前記基準段階は、固定された基準方位と特定地点方向との相対関係を演算する段階と、
基準方位に対し相対演算された特定地点方向を固定状態で表示部に表示する段階とを有することを特徴とする請求項２２記載の携帯端末機の特定地点方向コンパス表示方法。
【請求項２４】
前記固定状態で表示部に表示する段階は、別途のコンパスを利用して特定地点方向の方位を確認することを特徴とする請求項２３記載の携帯端末機の特定地点方向コンパス表示方法。
【請求項２５】
前記コンパス段階は、前記制御部の制御によって地磁気部が地磁気をリアルタイムに測定する段階と、
前記リアルタイムに測定された地磁気によってリアルタイムに連動するコンパス方位点を演算し、演算されたコンパス方位点と特定地点方向との相対関係を演算する段階と、
前記リアルタイムに演算されたコンパス方位点に特定地点方向を自動連動状態で表示部に表示する段階とを有することを特徴とする請求項２２記載の携帯端末機の特定地点方向コンパス表示方法。
【請求項２６】
前記特定地点は、メッカ（Ｍｅｃｃａ）であることを特徴とする請求項１６記載の携帯端末機の特定地点方向コンパス表示方法。
【請求項２７】
移動通信用の携帯端末機で特定地点の位置方向を確認するかどうかを判断する確認段階と、
前記確認段階の判断結果として特定地点の位置方向を確認する場合、移動通信システムに接続して基地局位置情報を検索する基地局段階と、
対応するメモリ部から特定地点位置情報を検索して特定地点方向を演算処理する特定地点段階と、
前記特定地点段階で演算された特定地点方向及び現在位置情報を利用して、特定地点方向を固定された基準方位として静的表示するか、又は、リアルタイムに連動するコンパス方位点として動的表示する方位ルーチン段階とを有することを特徴とする携帯端末機の特定地点方向コンパス表示方法。
【請求項２８】
前記基地局段階は、携帯端末機の無線部を通して移動通信システムの基地局データベースに接続する段階と、
前記接続された基地局データベースから緯度及び経度の基地局位置情報を検索する段階とを有することを特徴とする請求項２７記載の携帯端末機の特定地点方向コンパス表示方法。
【請求項２９】
前記特定地点段階は、携帯端末機の制御部によってメモリ部から特定地点位置の緯度及び経度情報を検索する段階と、
前記入力された現在位置情報及び検索された特定地点位置情報を演算部で演算処理して特定地点方向を出力する段階とを有することを特徴とする請求項２７記載の携帯端末機の特定地点方向コンパス表示方法。
【請求項３０】
前記方位ルーチン段階は、前記演算処理された特定地点方向を携帯端末機の表示部に基準方位にて静的固定表示するか、又は、コンパス方位点と連動し動的表示するかを判断する判断段階と、
前記判断段階で特定地点方向を基準方位表示と判断した場合、演算された固定基準方位に特定地点方向を相対表示する基準段階と、
前記判断段階で特定地点方向をコンパス方位点表示と判断した場合、リアルタイムに演算されたコンパス方位点に特定地点方向を連動表示するコンパス段階とを有することを特徴とする請求項２７記載の携帯端末機の特定地点方向コンパス表示方法。
【請求項３１】
前記基準段階は、固定された基準方位と特定地点方向との相対関係を演算する段階と、
基準方位に対し相対演算された特定地点方向を固定状態で表示部に表示する段階とを有することを特徴とする請求項３０記載の携帯端末機の特定地点方向コンパス表示方法。
【請求項３２】
前記固定状態で表示部に表示する段階は、特定地点方向の方位を別途用意されるコンパスを利用して確認することを特徴とする請求項３１記載の携帯端末機の特定地点方向コンパス表示方法。
【請求項３３】
前記コンパス段階は、前記制御部の制御によって地磁気部が地磁気をリアルタイムに測定する段階と、
前記リアルタイムに測定された地磁気によってリアルタイムに連動するコンパス方位点を演算し、演算されたコンパス方位点と特定地点方向との相対関係を演算する段階と、
前記リアルタイムに演算されたコンパス方位点に特定地点方向を自動連動状態で表示部に表示する段階とを有することを特徴とする請求項３０記載の携帯端末機の特定地点方向コンパス表示方法。
【請求項３４】
前記方位ルーチン段階は、携帯端末機の移動通信動作の電源が遮断された場合でも、特定地点方向の表示の維持を実行することを特徴とする請求項２７記載の携帯端末機の特定地点方向コンパス表示方法。
【請求項３５】
前記特定地点は、メッカ（Ｍｅｃｃａ）であることを特徴とする請求項２７記載の携帯端末機の特定地点方向コンパス表示方法。
【請求項３６】
移動通信用の携帯端末機の特定地点方向コンパス表示装置であって、別途用意されるコンパスを、携帯端末機の本体の一方側に、前記コンパスを一体に固定して構成するか、又は、前記コンパスを固定紐で連結付着して構成することを特徴とする携帯端末機の特定地点方向コンパス表示装置。
【請求項３７】
前記コンパスは、機械式及び電子式コンパスであることを特徴とする請求項３６記載の携帯端末機の特定地点方向コンパス表示装置。
【発明の詳細な説明】
【技術分野】
【０００１】
本発明は、携帯端末機に格納された電子地図により現在位置情報を確認し、リアルタイムコンパス方位点（ｃｏｍｐａｓｓ  ｐｏｉｎｔ）を利用して特定地点、特にメッカ（Ｍｅｃｃａ）方向を表示するものであって、詳しくは、地名を利用するか、現在の位置情報を手動入力するか、若しくは、基地局の位置情報を選択的に利用することで、リアルタイム動的コンパス方位点、又は別途のコンパスでメッカ方向を正確に表示し得る携帯端末機のメッカ方向コンパス表示装置及びその表示方法に関するものである。
【背景技術】
【０００２】
一般に、移動通信システムは、加入登録された携帯端末機（Ｍｏｂｉｌｅ  Ｔｅｒｍｉｎａｌ、Ｍｏｂｉｌｅ  Ｓｔａｔｉｏｎ：ＭＳ）を利用して該当のサービス領域内で自由に移動しながら、いつどこでも直ちに相手と無線接続して通信を行うもので、使用上の便利性、低廉な装置価格及び多様な付加サービスにより広く普及されている個人用通信手段である。
【０００３】
又、電子地図（Ｅｌｅｃｔｒｏｎｉｃ  Ｍａｐ）は、一般の地図上の各位置情報を電子データ化したもので、携帯端末機の対応するメモリに格納されることで、キーボード部のボタン及び表示部のグラフィック機能を利用して容易に再生し得るものである。
【０００４】
又、コンパス（Ｃｏｍｐａｓｓ）は、現在の位置における東西南北の方位を示すもので、コンパスの機能を電子化したものを電子コンパスといい、現在の位置の地磁気を電子的に検出、解析及び演算することで、電子的に方位を表示する装置である。
【０００５】
又、地球上には、多様な人種及び宗教があるが、それら宗教中、イスラム（Ｉｓｌａｍ）教を信仰するムスリム教徒は、サラー（Ｓａｌａｈ）という儀式により一日５回義務的にイスラム教の聖地であるメッカ（Ｍｅｃｃａ）に向かって礼拝をする。
さらに、イスラム教のサラー（Ｓａｌａｈ）による義務礼拝の種類としては、明け方から日の出前に礼拝するファジュル（Ｆａｊｒ）と、正午から午後中盤に礼拝するズフル（Ｚｕｈｒ）と、午後中盤から日没前に礼拝するアスル（Ａｓｒ）と、日没後に礼拝するマグリブ（Ｍａｇｈｒｉｂ）と、夜から明け方前に礼拝するイシャー（Ｉｓｈａ）とがあり、サラーは、地域又は地方によって日の出と日没間に差があるので、正確な時間に指定することは難しい。
又、上記のような一日５回メッカに向かって行う義務礼拝の他にも、金曜日の正午礼拝、追加義務礼拝及び任意の礼拝など、多様な礼拝があるが、イスラム教徒又はムスリムは、世界中どこに移動しても、礼拝を決まった時間に、聖地であるメッカの方向を向いて礼拝すべきであり、もし、礼拝をしない場合は、イスラム教理による重罪として処罰される。
【０００６】
従って、イスラム教徒は、現在の位置における聖地メッカの方向又は位置を確認することが非常に重要なことで、特に、移動が頻繁な遊牧民や旅行客達は、案内のない場所でも、第一義にメッカの方向又は位置を確認することになっている。
又、イスラム教徒においても、移動中通信が必要な場合、移動通信用携帯端末機を利用して通信することができるが、世界中のイスラム教徒の数は、統計の差はあるが、現在約１６億名程度であると推定され、世界の３大宗教の中の一つである。
【０００７】
このようなメッカの位置を表示する従来技術として、ＧＰＳ（Ｇｌｏｂａｌ  Ｐｏｓｉｔｉｏｎｉｎｇ  Ｓｙｓｔｅｍ）受信機及び地磁気センサ（Ｅａｒｔｈ−Ｍａｇｎｅｔｉｃ  Ｓｅｎｓｏｒ）を使用して、メッカの位置のみを表示するための別途の専用システム装置を開示したものがある（例えば、特許文献１参照）。
【０００８】
又、大韓民国にて公開された従来技術（例えば、特許文献２参照）を検討すると、ＧＰＳ受信機及び地磁気センサを使用するため、原価が高くなり、外形の大きさを減少し得ないという不都合な点があった。
【０００９】
【特許文献１】国際公開第００／６２１３１号パンフレット
【特許文献２】大韓民国特許出願公開２００３−３８４９４号明細書
【発明の開示】
【発明が解決しようとする課題】
【００１０】
しかしながら、このような従来のシステムにおいては、比較的容積が大きくて価格の高いＧＰＳ及び地磁気センサを利用するため、製品が大きくなって、生産性及び費用が高価になることで、普及が活性化されないという問題点があった。
【００１１】
そこで、本発明は上記従来の携帯端末機の特定地点方向コンパス表示装置及びその表示方法における問題点に鑑みてなされたものであって、本発明の目的は、使用者の任意の位置を基準に特定地点方向、特にメッカ方向を指示し得る携帯端末機の特定地点方向コンパス表示装置及びその表示方法を提供することにある。
【００１２】
又、本発明の他の目的は、携帯端末機のメモリに格納された現在位置の地名を選択する、電子地図検索により現在位置の緯度及び経度を入力する、又は、移動通信網から現在位置情報を受信して現在位置情報を得ることで、得られた現在位置情報及び格納された特定地点（特にメッカ）位置情報を利用して特定地点方向を演算し、その特定地点方向をディスプレイし得る携帯端末機の特定地点方向コンパス表示装置及びその表示方法を提供することにある。
【００１３】
又、本発明の他の目的は、現在位置情報及び特定地点（特にメッカ）位置情報を利用して特定地点方向を演算し、固定された基準方向を基準に特定地点方向を固定的にディスプレイする、又は電子コンパスを利用して特定地点方向を動的にディスプレイし得る携帯端末機の特定地点方向コンパス表示装置及びその表示方法を提供することにある。
【課題を解決するための手段】
【００１４】
上記目的を達成するためになされた本発明による携帯端末機の特定地点方向コンパス表示装置は、携帯端末機に位置情報、制御命令、ダイヤリング信号及びデータ情報を入力するキーボード部と、前記キーボード部から位置情報、制御命令及びダイヤリング信号を入力／解析し、前記携帯端末機の各機能部を監視（ｍｏｎｉｔｏｒ）／制御することで、特定地点方向を演算して出力する制御部と、前記制御部の制御によって地名別位置情報、電子地図情報、及び特定地点位置情報を記録／保存／出力するメモリ部と、前記制御部から現在の位置情報、特定地点位置情報、及び方位情報を入力／演算して方向処理及びコンパス演算をする演算部と、前記制御部の制御によって地磁気を検出して現在位置における方位情報を演算／出力する地磁気部と、前記制御部の制御によって移動通信基地局と無線通信して通信信号を送受信する無線部と、前記制御部の制御によって特定地点位置のコンパス方位点（ｃｏｍｐａｓｓ  ｐｏｉｎｔ）の表示、及び携帯端末機の運用情報を表示する表示部とを含んで構成されることを特徴とする。
【００１５】
又、上記目的を達成するためになされた本発明による携帯端末機の特定地点方向コンパス表示装置は、携帯端末機に制御命令及びダイヤリング信号を入力するキーボード部と、前記キーボード部から入力された制御命令及びダイヤリング信号を解析し、基地局位置情報を現在位置情報として出力し、演算された特定地点方向を表示部に出力する制御部と、前記制御部の制御によって運用情報を記録／保存／出力するメモリ部と、前記制御部から現在位置情報、特定地点位置情報及び方位情報を入力／演算して方向処理及びコンパス演算処理をする演算部と、前記制御部の制御によって地磁気を検出し、現在位置における方位情報を演算／出力する地磁気部と、前記制御部の制御によって移動通信基地局と無線通信し、通信信号を送受信して基地局情報を検索／受信する無線部と、前記制御部の制御によって特定地点位置をコンパス方位点を表示、及び携帯端末機の運用情報を表示する表示部とを含んで構成されることを特徴とする。
【００１６】
上記目的を達成するためになされた本発明による携帯端末機の特定地点方向コンパス表示方法は、携帯端末機を用いて特定地点方向を確認する場合、位置情報を地名で入力するか、地図検索で入力するか、又は手動（ｍａｎｕａｌ）入力するかを判断する開始段階と、前記開始段階の判断結果として地名で入力する場合、対応するメモリ部から地名を検索して位置情報を入力する地名ルーチン段階と、前記開始段階の判断結果として電子地図検索で入力する場合、対応するメモリ部の電子地図データを表示部に表示し、現在位置を検索して位置情報として入力する地図ルーチン段階と、前記開始段階の判断結果として手動入力する場合、現在位置の緯度及び経度情報をキーボード部を通して手動入力する手動ルーチン段階と、前記対応するメモリ部から特定地点位置情報を検索して特定地点方向を演算処理する特定地点段階と、前記特定地点段階で演算された特定地点方向及び現在位置情報を利用して、特定地点方向を固定された基準方位として静的表示するか、又は、リアルタイムに連動するコンパス方位点として動的表示する方位ルーチン段階とを有することを特徴とする。
【００１７】
又、上記目的を達成するためになされた本発明による携帯端末機の特定地点方向コンパス表示方法は、移動通信用の携帯端末機で特定地点の位置方向を確認するかどうかを判断する確認段階と、前記確認段階の判断結果として特定地点の位置方向を確認する場合、移動通信システムに接続して基地局位置情報を検索する基地局段階と、対応するメモリ部から特定地点位置情報を検索して特定地点方向を演算処理する特定地点段階と、前記特定地点段階で演算された特定地点方向及び現在位置情報を利用して、特定地点方向を固定された基準方位として静的表示するか、又は、リアルタイムに連動するコンパス方位点として動的表示する方位ルーチン段階とを有することを特徴とする。
【００１８】
さらに、上記目的を達成するためになされた本発明による携帯端末機の特定地点方向コンパス表示装置は、移動通信用の携帯端末機の特定地点方向コンパス表示装置であって、別途用意されるコンパスを、携帯端末機の本体の一方側に、前記コンパスを一体に固定して構成するか、又は、前記コンパスを固定紐で連結付着して構成することを特徴とする。
【発明の効果】
【００１９】
本発明に係る携帯端末機の特定地点方向コンパス表示装置及びその表示方法によれば、携帯端末機のメモリを検索して地名又は電子地図から現在位置の緯度及び経度情報を選択入力し、固定された方位又はリアルタイムに測定されたコンパス方位点に特定地点、特にメッカ方向を容易に表示し得るため、使用上極めて便利であるという効果がある。
又、固定された方位にメッカ方向を表示する場合、携帯端末機に別途に構成されるコンパスを利用して方位を一致させるため、メッカ方向を正確に確認し、使用上便利であるという効果がある。
【００２０】
又、現在位置の緯度及び経度情報を手動入力して、メッカ方向を迅速に演算して表示するため、使用上便利であるという効果がある。
又、携帯端末機が現在接続した基地局の位置情報を利用して携帯端末機の構成を簡単にするため、メッカ方向を確認し、使用上便利であるという効果がある。
又、リアルタイムに測定される地磁気を演算したコンパス方位点に動く状態で動的表示するため、移動しながらでもメッカ方向を正確に表示し、使用上便利であるという効果がある。
【発明を実施するための最良の形態】
【００２１】
次に、本発明に係る携帯端末機の特定地点方向コンパス表示装置及びその表示方法を実施するための最良の形態の具体例を図面を参照しながら説明する。
尚、以下に記載する実施形態中の記述及び図面においては、「特定地点」を「メッカ」として定め、表記し記述していく。
【００２２】
図１は、本発明に係る携帯端末機のメッカ方向コンパス表示装置の機能構成図であり、図２は、図１のメモリ部の詳細を示した機能構成図であり、図３は、図１の演算部の詳細を示した機能構成図であり、図４は、図１の無線部の詳細を示した機能構成図であり、図５は、本発明に係る携帯端末機の特定地点方向コンパス表示装置及びその表示方法の第１の実施例におけるフローチャートであり、図６は、地名ルーチン段階を示したフローチャートであり、図７は、地図ルーチン段階を示したフローチャートであり、図８は、手動ルーチン段階を示したフローチャートであり、図９は、方位ルーチン段階を示したフローチャートであり、図１０は、本発明に係る携帯端末機の特定地点方向コンパス表示装置及びその表示方法の第２の実施例におけるフローチャートであり、図１１は、本発明に係る携帯端末機のメッカ方向コンパス表示装置の例を示した表示構造図であり、図１２は、本発明に係る携帯端末機のメッカ方向コンパス表示装置の他の例を示した表示構造図であり、図１３は、地名入力によるメッカ方向表示の流れを示した表示状態図であり、図１４〜１７は、地図検索によるメッカ方向表示の流れを示した表示状態図であり、図１８は、手動入力によるメッカ方向表示の流れを示した表示状態図であり、図１９は、情報入力のない場合のメッカ方向を示した表示状態図である。
【実施例１】
【００２３】
本発明に係る携帯端末機のメッカ方向コンパス表示装置の第１の実施例は、図１〜図４に示すように、移動通信用携帯端末機に位置情報、制御命令、ダイヤリング信号及びデータ情報を入力するキーボード部１００と、
キーボード部１００から情報、命令及び信号を入力／解析して各機能部を監視／制御することで、メッカ方向を演算して出力する制御部２００と、
制御部２００の制御によって地名別位置情報、電子地図情報及びメッカ位置情報を記録／保存／出力するメモリ部３００と、
制御部２００から現在位置情報、メッカ位置情報、及び方位情報を入力／演算して方向処理及びコンパス演算をする演算部４００と、
制御部２００の制御によって現在位置の地磁気をリアルタイムに動的に検出して測定することで、現在位置における動的方位情報を演算して出力する地磁気部５００と、
制御部２００の制御によって移動通信基地局（ＢＡＳＥ  ＳＴＡＴＩＯＮ：ＢＳ）と無線通信して通信信号を送受信する高周波部６１０を含む無線部６００と、
制御部２００の制御によってメッカ位置をコンパス方位点（ｃｏｍｐａｓｓ  ｐｏｉｎｔ）の表示、及び携帯端末機の運用情報を表示する表示部７００とを含んで構成されている。
【００２４】
又、メモリ部３００は、制御部２００の制御によって地名に対応する緯度及び経度情報をそれぞれ記録／保存／出力する地名部３１０と、制御部２００の制御によって電子化された地図情報の対応する緯度及び経度情報を記録／保存／出力する電子地図部３２０と、制御部２００の制御によってメッカ位置の緯度及び経度情報を記録／保存／出力するメッカ位置部３３０と、制御部２００の制御によって携帯端末機の運用に必要な情報を記録／保存／出力する補足情報部３４０とから構成される。
【００２５】
又、演算部４００は、メッカ位置情報及び現在位置情報を演算してメッカの方向情報を演算／出力する方向演算部４１０と、地磁気部５００で演算された現在位置における方位情報及び方向演算部４１０で演算されたメッカ方向情報を入力して演算し、コンパス方位点による動的情報にメッカ方向を付加して出力するコンパス演算部４２０とから構成される。
【００２６】
又、表示部７００は、メッカ方向を、固定された基準方位に基づいて固定方位に表示するか、又は、リアルタイムのコンパス方位点に基づいて動的に表示する。
【００２７】
以下、このように構成された第１の実施例に係る携帯端末機のメッカ方向コンパス表示装置に対し、図１〜図４に基づいて説明する。
携帯端末機（ＭＳ）によりメッカ（Ｍｅｃｃａ）の位置方向を確認する場合、使用者は、携帯端末機のキーボード部１００を通して対応する制御命令を入力し、メッカの方向を確認するために現在位置の情報を入力する。このとき、現在位置に対する詳細な情報は、緯度（Ｌａｔｉｔｕｄｅ）及び経度（Ｌｏｎｇｉｔｕｄｅ）情報を含んでいる。
【００２８】
又、現在位置情報の入力方法には、携帯端末機に既に格納された地名中何れか一つを選択する方法と、電子地図を検索して現在位置を入力する方法と、現在位置の緯度及び経度値を手動入力する方法とがあり、使用者は、これら方法中何れか一つを選択するために、キーボード部１００を通して対応する命令を入力する。
【００２９】
又、メモリ部３００は、地名部３１０、電子地図部３２０、メッカ位置部３３０、及び補足情報部３４０により構成され、地名部３１０は、全世界の２５０ケ国以上に該当する主要都市を含み、頻繁に訪問するそれぞれの場所に対する各位置情報を制御部２００の制御によって記録／保存して出力し、電子地図部３２０では、世界地図を電子化してグラフィックに表示することで、各位置に対する緯度及び経度情報を制御部２００の制御によって記録／保存して出力し、メッカ位置部３３０では、イスラム教の聖地であるメッカ（Ｍｅｃｃａ）位置に対する緯度及び経度情報を制御部２００の制御によって記録／保存して出力し、補足情報部３４０では、携帯端末機の運用に必要な、補足パラメータなどの情報を制御部２００の制御によって記録／保存して出力する。
【００３０】
又、地磁気部５００は、制御部２００の制御によって、現在位置における地磁気をリアルタイムに検出測定して演算することで、動的方位情報として出力する。
【００３１】
又、演算部４００は、方向演算部４１０及びコンパス演算部４２０により構成され、方向演算部４１０は、制御部２００を通してメモリ部３００の地名部３１０からの入力、電子地図部３２０からの入力、又は、手動入力される現在位置の緯度及び経度情報、及びメッカ位置部３３０から入力されるメッカ位置の緯度及び経度情報をそれぞれ入力し、対応する演算処理によりメッカの方向情報を演算／出力する。
【００３２】
又、コンパス演算部４２０は、地磁気部５００からリアルタイムに入力される現在位置における動的方位情報をコンパス方位点として演算すると同時に、制御部２００を通してメモリ部３００のメッカ位置部３３０から入力されるメッカ位置情報と、地名部３１０から入力されるか、電子地図部３２０から入力されるか、又は、手動入力される現在位置情報とを演算するため、現在位置における動的コンパス方位点情報にメッカ方向を付加表示して出力する。
【００３３】
このように演算部４００に現在位置の緯度及び経度情報をメモリ部３００の地名部３１０から入力するか、電子地図部３２０から入力するか、又は、手動入力するかは、キーボード部１００を通して入力される命令信号によって選択される。
【００３４】
又、無線部６００に具備される高周波部６１０は、制御部２００の制御によって移動通信基地局システムと高周波（Ｒａｄｉｏ  Ｆｒｅｑｕｅｎｃｙ）信号で無線接続して通信する。
【００３５】
次に、第１の実施例における携帯端末機のメッカ方向コンパス表示方法を、図５〜図９に基づいて説明する。
まず、図５を参照すると、本発明に係る携帯端末機のメッカ方向コンパス表示方法の第１の実施例は、移動通信用の携帯端末機でメッカ方向を確認する場合、現在位置情報を入力する方法を判断する開始段階と、
開始段階での判断結果として（ステップＳ１１０）地名で入力する場合、対応するメモリ部３００から地名を検索して位置情報を入力する地名ルーチン段階（ステップＳ１２０）と、
開始段階での判断結果として（ステップＳ１１０）して電子地図検索で入力する場合、対応するメモリ部３００の電子地図データを表示部７００に表示し、現在位置を検索して位置情報として入力する地図ルーチン段階（ステップＳ１３０）と、
開始段階での判断結果として（ステップＳ１１０）して手動入力する場合、現在位置の緯度及び経度情報をキーボード部１００を通して手動入力する手動ルーチン段階（ステップＳ１４０）と、
対応するメモリ部３００からメッカ位置情報を検索してメッカ方向を演算処理するメッカ段階と、
メッカ段階で演算されたメッカ方向及び現在位置情報を利用して、メッカ方向を固定された基準方位として静的表示するか、又は、リアルタイムに連動するコンパス方位点に動的表示する方位ルーチン段階とを有している。
【００３６】
又、開始段階は、移動通信用の携帯端末機でメッカの位置方向を確認するかどうかを判断する段階（ステップＳ１００）と、ステップＳ１００の段階での判断結果としてメッカの位置方向を確認する場合、現在位置情報を地名で入力するか、電子地図を検索して入力するか、又は、手動入力するかを判断する段階（ステップＳ１１０）とを有している。
【００３７】
又、地名ルーチン段階（ステップＳ１２０）は、図６に示すように、現在位置の緯度及び経度情報を地名選択で入力するかを判断する第１地名段階（ステップＳ１２１）と、第１地名段階（ステップＳ１２１）での判断結果として地名選択で現在位置情報を入力する場合、メモリ部３００から地名を検索する第２地名段階（ステップＳ１２２）と、第２地名段階（ステップＳ１２２）で検索された地名を選択して、位置情報として入力するかどうかを判断し、位置情報として選択された地名を入力しない場合、第１地名段階（ステップＳ１２１）に帰還する第３地名段階（ステップＳ１２３）と、第３地名段階（ステップＳ１２３）での判断結果として検索された地名を選択入力する場合、選択された地名の経度及び緯度情報を現在位置情報として入力する第４地名段階（ステップＳ１２４）とを有している。
【００３８】
又、地図ルーチン段階（ステップＳ１３０）は、図７に示すように、現在位置の緯度及び経度情報を電子地図検索により入力するかどうかを判断する第１地図段階（ステップＳ１３１）と、第１地図段階（ステップＳ１３１）の判断結果として電子地図検索により現在位置情報を入力する場合、メモリ部３００の電子地図データを読み出して表示部７００に表示する第２地図段階（ステップＳ１３２）と、第２地図段階（ステップＳ１３２）で表示された電子地図をキーボード部１００の対応するキーボタンで通常検索及び詳細検索をして現在位置を検索する第３地図段階（ステップＳ１３３）と、第３地図段階（ステップＳ１３３）で検索された電子地図の現在位置を選択して位置情報として入力するかどうかを判断し、電子地図の現在位置を位置情報として入力しない場合、第１地図段階（ステップＳ１３１）に帰還する第４地図段階（ステップＳ１３４）と、第４地図段階（ステップＳ１３４）の判断結果として検索された電子地図の現在位置を選択して入力する場合、選択された位置の経度及び緯度情報を現在位置情報として入力する第５地図段階（ステップＳ１３５）とを有している。
【００３９】
又、手動ルーチン段階（ステップＳ１４０）は、図８に示すように、現在位置の緯度及び経度情報を手動（ｍａｎｕａｌ）入力するかどうかを判断する第１手動段階（ステップＳ１４１）と、第１手動段階（ステップＳ１４１）での判断結果として現在位置情報を手動入力する場合、キーボード部１００に現在位置の緯度及び経度情報を手動入力する第２手動段階（ステップＳ１４２）と、第２手動段階（ステップＳ１４２）で手動入力された位置情報を選択するかどうかを判断して、手動入力された位置情報を選択しない場合、第１手動段階（ステップＳ１４１）に帰還する第３手動段階（ステップＳ１４３）と、第３手動段階（ステップＳ１４３）での判断結果として手動入力された位置情報を選択する場合、それら手動入力された緯度及び経度情報を現在位置情報として入力する第４手動段階（ステップＳ１４４）とを有している。
【００４０】
又、メッカ段階は、携帯端末機の制御部２００によってメモリ部３００からメッカ位置の緯度及び経度情報を検索する段階（ステップＳ１５０）と、入力された現在位置情報及び検索されたメッカ位置情報を演算部４００で演算処理してメッカ方向を出力する段階（ステップＳ１６０）とを有している（図５参照）。
【００４１】
又、方位ルーチン段階（ステップＳ１７０）は、図９に示すように、演算処理されたメッカ方向を携帯端末機の表示部７００に基準方位にて固定して静的に表示するか、又は、コンパス方位点に連動して動的に表示するかを判断する判断段階（ステップＳ１７１）と、該判断段階（ステップＳ１７１）でメッカ方向を基準方位表示と判断した場合、演算された固定基準方位にメッカ方向を相対表示するために、固定された基準方位とメッカ方向との相対関係を演算する段階（ステップＳ１７２）と、演算された基準方位のメッカ方向を固定状態で表示部７００に表示する段階（ステップＳ１７３）とを有する基準段階と、判断段階でメッカ方向の表示をコンパス方位点表示と判断した場合（ステップＳ１７１）、リアルタイムに演算されたコンパス方位点にメッカ方向を連動表示するために、制御部２００の制御により地磁気部５００が地磁気をリアルタイムに測定する段階（ステップＳ１７４）と、リアルタイムに測定された地磁気によってリアルタイムに連動するコンパス方位点を演算し、演算されたコンパス方位点とメッカ方向との相対関係を演算する段階（ステップＳ１７５）と、リアルタイムに演算されたコンパス方位点にメッカ方向を自動連動状態で表示部７００に表示する段階（ステップＳ１７６）とを有するコンパス段階とを有している。
【００４２】
このとき、メッカ方向を固定状態で表示する段階（ステップＳ１７３）では、携帯端末機の表示部７００とは別途に設けられたコンパスを利用してメッカ方向の方位を正確に確認する。
【００４３】
次に、第１の実施例に係る携帯端末機のメッカ方向コンパス表示方法の流れを、図１〜図４、及び図５〜図９のフローチャートに基づいて説明する。
まず、図５を参照すると、移動通信用の携帯端末機を利用してメッカの方向を確認するかどうかを判断し（ステップＳ１００）、メッカの方向を確認する場合、携帯端末機の制御部２００は、キーボード部１００より現在位置の緯度及び経度情報を入力するとき、メモリ部３００の地名部３１０に予め入力された地名を選択するため、地名に連結されて格納された緯度及び経度情報を利用するか、電子地図部３２０に格納された電子地図を表示部７００にグラフィック処理して表示／検索することで、確認された位置の緯度及び経度情報を入力するか、又は、現在位置の緯度及び経度情報をキーボード部１００を通して手動入力するかどうかを判断する（ステップＳ１１０）。
【００４４】
ステップＳ１１０の判断の結果、地名を検索／選択して該当する地名に連結されて記録された緯度及び経度情報を利用する場合（ステップＳ１２０）、携帯端末機の制御部２００は地名で入力するかどうかを判断し（ステップＳ１２１）、地名を入力する場合、メモリ部３００の地名部３１０から地名を検索し（ステップＳ１２２）、検索された地名中、特定の地名を選択して入力する場合（ステップＳ１２３）、選択された地名に連結して格納された緯度及び経度の位置情報を入力する（図６参照）。
【００４５】
又、ステップＳ１１０の判断の結果、電子地図にて検索する場合（ステップＳ１３３、ステップＳ１３１）、携帯端末機は、メモリ部３００の電子地図部３２０から電子地図を読み出してグラフィックで表示部７００に表示し（ステップＳ１３２）、携帯端末機の使用者は、グラフィックで表示部７００に表示された電子地図を基準に現在位置情報を探すために、キーボード部１００の対応するキーを利用する。次いで、対応するキーにより入力された命令によって、携帯端末機の制御部２００は、電子地図を基準に通常検索及び詳細検索を反復する（ステップＳ１３３）。次いで、使用者から特定の位置が選択されると、選択された特定位置の位置情報、即ち、緯度及び経度情報を現在位置情報として入力する（ステップＳ１３４、Ｓ１３５）（図７参照）。
【００４６】
又、ステップＳ１１０の判断の結果、現在位置の緯度及び経度情報を手動入力する場合（ステップＳ１４０）、携帯端末機は、使用者からの位置情報入力を待機し（ステップＳ１４１）、使用者により緯度及び経度情報が手動入力されると（ステップＳ１４２、Ｓ１４３）、携帯端末機は、入力された緯度及び経度情報を現在位置情報として利用する（ステップＳ１４４）（図８参照）。
【００４７】
このように選択的に入力される現在位置の緯度及び経度情報は、制御部２００の制御によって演算部４００に入力される。
【００４８】
又、制御部２００は、メモリ部３００のメッカ位置部３３０からメッカの位置地点の緯度及び経度情報を検索して演算部４００に入力し（ステップＳ１５０）、演算部４００は、方向演算部４１０により現在位置の緯度及び経度情報を入力すると同時に、メッカ位置の緯度及び経度情報を入力して相応の処理をすることで、メッカ方向に対する演算処理をする（ステップＳ１６０）。
【００４９】
次に、このように演算処理されたメッカ方向の情報を、固定された基準方位に静的表示するか、又は、リアルタイムに測定されるコンパス方位点にて動的表示するかどうかを判断して（ステップＳ１７１）、ステップＳ１７１の判断の結果、固定された基準方位にて表示する場合、方向演算部４１０を通して基準方位を演算し（ステップＳ１７２）、固定方位にメッカ方向が連結されるように演算して表示部７００に静的表示する（ステップＳ１７３）（図９参照）。
【００５０】
又、ステップＳ１７１の判断の結果、リアルタイムに測定されるコンパス方位点にて動的表示する場合、制御部２００は、地磁気部５００を制御して現在位置の地磁気をリアルタイムに測定し、リアルタイムに測定された現在位置の地磁気情報をコンパス演算部４２０を通してリアルタイムにコンパス方位点に演算し（ステップＳ１７５）、このようにリアルタイムのコンパス方位点にメッカの方向を連動し、表示部７００を通して表示する（ステップＳ１７６）。
【００５１】
上述したように、このように構成された本発明に係る携帯端末機のメッカ方向コンパス表示方法は、予め入力した複数の地名を検索して、検索された地名に関連される緯度及び経度情報を選択して入力するか、電子地図を検索して選択された地点の緯度及び経度情報を入力するか、又は、現在位置の緯度及び経度情報を手動入力することで、このように入力された現在位置情報を固定方位に静的表示するか、又は、リアルタイムにコンパス方位点に動的表示するかを判断し、このように選択決定された方位にメッカ位置情報を連動して表示する。
【００５２】
又、表示部７００に固定された方位にメッカ方向を静的表示する場合、図１１に示すように携帯端末機８００にコンパス９００を一体に構成するか、又は、図１２に示すように固定紐８５０により連結されるコンパス９００を利用して現在位置における東西南北方位を一致させ、メッカ方向を確認するため、正確なメッカの方向を確認することができる。
【００５３】
次に、携帯端末機の表示に従って、地名入力、地図検索、及び手動入力によるメッカ方向表示の流れを説明する。
図１３に示すように、開始段階（ステップＳ１１０）で地名入力、地図検索及び手動入力する各メニューが表示部７００に表示され、このように表示されたメニュー中、地名入力メニューが選択される場合、地名入力ルーチン段階（ステップＳ１２０）によって携帯端末機の制御部２００が地名を入力するかどうかを確認し（ステップＳ１２１）、地名を入力する場合、メモリ部３００に格納された各地名を検索して表示部７００に表示し（ステップＳ１２２）、このように表示された地名中、何れか一つを携帯端末機のキーボード部１００に構成された対応する方向ボタンを利用して選択する場合（ステップＳ１２３）、選択された地名を現在位置の情報として入力するため（ステップＳ１２４）、入力された地名による位置情報を演算部４００により演算し（ステップＳ１５０、Ｓ１６０）、演算した結果がコンパス方位として表示部７００に表示（ステップＳ１７０）される。
【００５４】
又、図１４〜図１７に示すように、開始段階（ステップＳ１１０）で地名入力、地図検索及び手動入力の各メニューが表示部７００に表示され、このように表示されたメニュー中、地図検索メニューを選択する場合、地図検索ルーチン段階（ステップＳ１３０）によって携帯端末機の制御部２００が地図検索をするかどうかを確認し（ステップＳ１３１）、地図検索をする場合、緯度（ｌａｔｉｔｕｄｅ）及び経度（ｌｏｎｇｉｔｕｄｅ）中、例えば、緯度を選択すると、メモリ部３００に格納された電子地図部の電子地図を読み出して表示部７００に表示する（ステップＳ１３２）。
【００５５】
電子地図は、地図形状をグラフィック（ｇｒａｐｈｉｃ）に表示し、各位置に対応する経度及び緯度情報がデータ化されて入力されたもので、特定の位置を選択する場合、該当の位置の緯度及び経度情報を確認すると同時に、地球全体の地図及び選択された国別地図を拡大又は縮小して表示し得る。
【００５６】
このように表示部７００に表示された電子地図で、現在の位置をキーボード部１００の対応する方向ボタンを利用して、表示部７００にライン（ｌｉｎｅ）として表示されるカーソル（ｃｕｒｓｅｒ）を動かして、現在位置の通常検索及び詳細検索をすることで、例えば、検索されて選択された現在位置の緯度情報が北緯３５度に自動検索される（ステップＳ１３３）。
【００５７】
且つ、現在位置の経度情報を入力するために、第１地図段階（ステップＳ１３１）に帰還（ｆｅｅｄｂａｃｋ）し（ステップＳ１３４）、このような帰還状態で、電子地図上で通常検索及び詳細検索を反復して現在位置を精密に検索するため、例えば、現在位置の経度１３０度の位置情報を自動に検索し得る（ステップＳ１３１、Ｓ１３２、Ｓ１３３）。
【００５８】
このように検索された現在位置が電子地図上で正確に検索されたかを判断し（ステップＳ１３４）、ステップＳ１３４の判断結果で現在位置が電子地図上で正確に検索されない場合は、各段階（ステップＳ１３１、Ｓ１３２、Ｓ１３３）を再び反復して正確な現在位置を検索し、判断結果で現在位置が電子地図上で正確に検索された場合は、選択された位置情報に該当する緯度及び経度情報を入力し（ステップＳ１３５）、このように電子地図により入力された現在位置情報を演算部４００が演算し（ステップＳ１５０、Ｓ１６０）、演算した結果がコンパス方位点として表示部７００に表示（ステップＳ１７０）される。
【００５９】
又、図１８に示すように、開始段階（ステップＳ１１０）で地名入力、地図検索及び手動入力のメニューが表示部７００に表示され、このように表示されたメニュー中、手動入力メニューを選択する場合、手動入力ルーチン段階（ステップＳ１４０）によって携帯端末機の制御部２００が手動入力するかどうかを確認し（ステップＳ１４１）、現在位置情報を手動入力する場合、緯度情報及び経度情報を手動入力する状態が表示部７００に表示され、手動入力する状態でキーボード部１００に具備される数字ボタンを利用して現在位置の緯度及び経度情報を手動入力する（ステップＳ１４２）。
このように、使用者が現在位置の緯度及び経度情報を知っていることで、使用者から現在位置の緯度及び経度情報が手動入力される場合、メッカ方向ディスプレイ処理はより迅速に行われる。
【００６０】
以上説明したように、携帯端末機は、手動入力された現在位置情報を選択するかを判断し（ステップＳ１４３）、ステップＳ１４３の判断後、手動入力された現在位置情報を選択しない場合は、第１手動段階（ステップＳ１４１）に帰還（ｆｅｅｄｂａｃｋ）して前段階を反復する（ステップＳ１４１、Ｓ１４２）。現在位置情報を再び手動入力して、ステップＳ１４３の判断後、手動入力された現在位置情報を選択する場合、入力された緯度及び経度情報を現在位置の情報として入力し（ステップＳ１４４）、このように手動入力された現在位置情報を演算部４００により演算し（ステップＳ１５０、Ｓ１６０）、演算した結果がコンパス方位に表示部７００に表示（ステップＳ１７０）される。
【００６１】
さらに、図１９に示すように、地名入力ルーチン段階（ステップＳ１２０）、地図検索ルーチン段階（ステップＳ１３０）及び手動入力ルーチン段階（ステップＳ１４０）で、それぞれに該当する方法で現在位置情報が入力されない場合、最後に入力された位置情報又は基本的に入力されている位置情報を基準に、携帯端末機はメッカの方向をコンパス表示する。
【００６２】
又、前記携帯端末機の移動通信のための動作電源が遮断される電源オフ（ｐｏｗｅｒ  ｏｆｆ）状態でも、選択されたアイコンなどでメッカ方向の表示を継続して維持するようにする。
【実施例２】
【００６３】
次に、本発明に係る携帯端末機のメッカ方向コンパス表示装置の第２の実施例は、移動通信用の携帯端末機に制御命令及びダイヤリング信号を入力するキーボード部１００と、
キーボード部１００から入力された制御命令及びダイヤリング信号を解析して、移動通信網の基地局から携帯端末機の現在位置情報の受信動作を制御し、現在位置情報及びメッカ位置情報を利用してメッカ方向の演算を制御し、演算されたメッカ方向の出力を制御する制御部２００と、
制御部２００の制御により運用情報を記録／保存／出力するメモリ部３００と、
制御部２００から現在位置情報、メッカ位置情報及び方位情報の入力を受けて演算し、方向処理及びコンパス演算処理する演算部４００と、
制御部２００の制御により地磁気を検出し、現在位置における方位情報を演算／出力するために、現在位置の地磁気をリアルタイムに測定して出力する地磁気部５００と、
制御部２００の制御によって基地局（ＢＳ）と無線通信を行う高周波部６１０を具備し、制御部２００の制御により、基地局（ＢＳ）と無線通信して現在位置情報を受信する無線部６００と、
制御部２００の制御により、メッカ位置のコンパス方位点表示、及び携帯端末機の運用情報を表示する表示部７００とを含んで構成されている（図１〜図４参照）。
【００６４】
又、演算部４００は、メッカ位置情報及び現在位置情報を演算してメッカの方向情報を出力する方向演算部４１０と、現在位置における方位情報及びメッカ方向情報を入力し、コンパス方位点による動的情報を演算してメッカ方向を付加／出力するコンパス演算部４２０とから構成される。
【００６５】
又、表示部７００は、メッカ方向を、固定された基準方位に基づいて固定方位に表示するか、又はリアルタイムのコンパス方位点に基づいて動的に表示する。
【００６６】
以下、このように構成された本発明の第２の実施例の動作に対して説明する。
移動通信網から現在位置情報を受信しようとする命令が使用者によりキーボード部１００から入力されると、携帯端末機の制御部２００は、無線部６００を通して基地局（ＢＳ）に接続する。このとき、基地局（ＢＳ）は、基地局自身の位置情報の緯度及び経度情報を有しているため、携帯端末機が基地局に基地局位置情報を要求し、基地局から基地局位置情報として、基地局が位置した緯度及び経度情報が受信されると、携帯端末機は、受信された基地局位置情報を現在位置情報として利用する。よって、携帯端末機は、受信された基地局位置情報及び既に格納されたメッカ位置情報を利用してメッカ方向を演算する。メッカ方向のディスプレイ動作は、第１の実施例の動作と同様であるため、説明を省略する。
【００６７】
このように基地局（ＢＳ）が位置した位置情報を現在位置情報として利用すると、携帯端末機のメモリ部３００の大きさが減少されるため、高価なＧＰＳ（Ｇｌｏｂａｌ  Ｐｏｓｉｔｉｏｎｉｎｇ  Ｓｙｓｔｅｍ）受信機を別途に具備する必要がなくなって、携帯端末機を廉価にすることができる。
上述したような多様な選択（ｏｐｔｉｏｎ）によって演算された現在位置におけるメッカ方向は、制御部２００の制御によって表示部７００に表示される。
【００６８】
又、制御部２００は、キーボード部１００から入力される選択的（ｏｐｔｉｏｎａｌ）制御命令によって、演算部４００が演算したメッカ方向情報を表示部７００に表示するとき、固定された基準方位にメッカ方向を静的（ｓｔａｔｉｃ）に表示したり、又は、地磁気部５００がリアルタイムに測定した地磁気によって動的なコンパス方位点（ｃｏｍｐａｓｓ  ｐｏｉｎｔ）でメッカ方向を動的（ｄｙｎａｍｉｃ）に表示する。
【００６９】
このとき、方向演算部４１０から演算された固定方位のメッカ方向を表示部７００に表示する場合、図１１に示すように、携帯端末機８００に一体に構成されるコンパス９００を利用して方位を一致させることで、メッカの位置を正確に判断したり、又は、図１２に示すように、携帯端末機８００に固定紐８５０により固定されるコンパス９００を利用して方位を一致させることで、メッカ位置を正確に確認する。
【００７０】
次に、第２の実施例における携帯端末機のメッカ方向コンパス表示方法を、図１０に基づいて説明する。
携帯端末機のメッカ方向コンパス表示方法は、移動通信用の携帯端末機でメッカの位置方向を確認するかどうかを判断する確認段階（ステップＳ２００）と、
確認段階（ステップＳ２００）の判断結果としてメッカの位置方向を確認する場合、移動通信システムに接続して基地局位置情報を検索する基地局段階と、
対応するメモリ部３００からメッカ位置情報を検索してメッカ方向を演算処理するメッカ段階と、
メッカ段階で演算されたメッカ方向及び現在位置情報を利用して、メッカ方向を固定された基準方位として静的表示するか、又は、リアルタイムに連動するコンパス方位点として動的表示する方位ルーチン段階とを有している。
【００７１】
又、基地局段階は、携帯端末機の無線部６００の高周波部６１０を通して移動通信システムの基地局（ＢＳ）データベースに接続する段階（ステップＳ２１０）と、該段階（ステップＳ２１０）で接続された基地局データベースから緯度及び経度による基地局位置情報を検索する段階（ステップＳ２２０）とを有している。
【００７２】
又、メッカ段階は、携帯端末機の制御部２００によってメモリ部３００からメッカ位置の緯度及び経度情報を検索する段階（ステップＳ２３０）と、入力された現在位置情報及び検索されたメッカ位置情報を演算部で演算処理してメッカ方向を出力する段階（ステップＳ２４０）とを有している。
【００７３】
又、方位ルーチン段階は、演算処理されたメッカ方向を携帯端末機の表示部７００に基準方位にて固定して静的に表示するか、又は、コンパス方位点に連動して動的に表示するかを判断する基準コンパス判断段階（ステップＳ１７１）と、該判断段階（ステップＳ１７１）でメッカ方向を基準方位表示と判断した場合、演算された固定基準方位にメッカ方向に相対表示するために、固定された基準方位とメッカ方向との相対関係を演算する基準方位演算段階（ステップＳ１７２）と、基準方位にて相対演算されたメッカ方向を固定状態で表示部に表示するメッカ方向固定表示段階（ステップＳ１７３）と、判断段階（ステップＳ１７１）でメッカ方向をコンパス方位表示と判断した場合、リアルタイムに演算されたコンパス方位点にメッカ方向を連動表示するために、制御部２００の制御により地磁気部５００が地磁気をリアルタイムに測定する地磁気測定段階（ステップＳ１７４）と、リアルタイムに測定された地磁気によりリアルタイムに連動するコンパス方位点を演算して、演算されたコンパス方位点とメッカ方向との相対関係を演算するコンパス方位演算段階（ステップＳ１７５）と、リアルタイムに演算されたコンパス方位点にメッカ方向を自動連動状態で表示部７００に表示するメッカ方向連動表示段階（ステップＳ１７６）とを有している（図９参照）。
【００７４】
又、固定状態表示段階（ステップＳ１７３）は、携帯端末機８００の表示部に静的に表示された固定方位によるメッカ方向を、携帯端末機８００に固定されたコンパス９００（図１１参照）、又は、固定紐８５０によって連結されたコンパス９００（図１２参照）を利用してメッカ方向の方位を正確に確認する。
【００７５】
次に、第２の実施例に係る携帯端末機のメッカ方向コンパス表示方法の流れを、基地局（ＢＳ）の位置情報の利用に対し、図１〜図４、及び図１０のフローチャートに基づいて説明する。
携帯端末機８００は、メッカ方向を確認するかどうかを判断して（ステップＳ２００）、ステップＳ２００の判断結果としてメッカ方向を確認する場合、制御部２００は、無線部６００の高周波部６１０を制御し、移動通信システムの基地局データベースに接続して（ステップＳ２１０）、接続されたデータベースから現在基地局の緯度及び経度情報を検索して確認する（ステップＳ２２０）。
【００７６】
次に、制御部２００は、上記説明したように、メモリ部３００からメッカの位置情報を検索し、検索して確認された現在位置情報を利用してメッカ方向を演算処理する（ステップＳ２４０）。
次に、基準方位を利用するか、リアルタイムに測定されるコンパス方位点を利用するかを判断し、基準方位を利用する場合は、基準方位にメッカ方向を固定演算して表示部にメッカ方向を方位に表示し、リアルタイムにコンパス方位点を利用する場合は、地磁気をリアルタイムに測定して、コンパス方位点を演算してメッカの方向を連動することで、表示部にメッカ方向を方位に表示する（ステップＳ２５０）。
【００７７】
第２の実施例でも、固定方位にメッカ方向を表示する場合、携帯端末機８００に一体に構成されるコンパス９００（図１１参照）、又は固定紐８５０により一体に連結されるコンパス９００（図１２参照）を利用して現在位置における東西南北方位を一致させるため、メッカ方向を正確に確認することができる。
【００７８】
このように基地局の位置情報を利用する場合、携帯端末機の構成を簡単且つ縮小させ、価格を節減して負荷（ｌｏａｄ）を減少させることができる。
【００７９】
上述したように、本実施例においては、メッカの位置方向に対して行われることを主体に記載してきたが、メッカの位置方向に限らず、使用者が必要とされる種々の特定地点に対して同様のことを行うことも当然可能である。
【００８０】
尚、本発明は、上述の実施例に限られるものではない。本発明の技術的範囲から逸脱しない範囲内で多様に変更実施することが可能である。
【図面の簡単な説明】
【００８１】
【図１】本発明に係る携帯端末機のメッカ方向コンパス表示装置の機能構成図である。
【図２】図１のメモリ部の詳細を示した機能構成図である。
【図３】図１の演算部の詳細を示した機能構成図である。
【図４】図１の無線部の詳細を示した機能構成図である。
【図５】本発明に係る携帯端末機の特定地点方向コンパス表示装置及びその表示方法の第１の実施例におけるフローチャートである。
【図６】地名ルーチン段階を示したフローチャートである。
【図７】地図ルーチン段階を示したフローチャートである。
【図８】手動ルーチン段階を示したフローチャートである。
【図９】方位ルーチン段階を示したフローチャートである。
【図１０】本発明に係る携帯端末機の特定地点方向コンパス表示装置及びその表示方法の第２の実施例におけるフローチャートである。
【図１１】本発明に係る携帯端末機のメッカ方向コンパス表示装置の例を示した表示構造図である。
【図１２】本発明に係る携帯端末機のメッカ方向コンパス表示装置の他の例を示した表示構造図である。
【図１３】地名入力によるメッカ方向表示の流れを示した表示状態図である。
【図１４】地図検索によるメッカ方向表示の流れを示した表示状態図である。
【図１５】地図検索によるメッカ方向表示の流れを示した表示状態図である。
【図１６】地図検索によるメッカ方向表示の流れを示した表示状態図である。
【図１７】地図検索によるメッカ方向表示の流れを示した表示状態図である。
【図１８】手動入力によるメッカ方向表示の流れを示した表示状態図である。
【図１９】情報入力のない場合のメッカ方向を示した表示状態図である。
【符号の説明】
【００８２】
１００        キーボード部
２００        制御部
３００        メモリ部
３１０        地名部
３２０        電子地図部
３３０        メッカ位置部
３４０        補足情報部
４００        演算部
４１０        方向演算部
４２０        コンパス演算部
５００        地磁気部
６００        無線部
６１０        高周波部
７００        表示部
８００        携帯端末機
８５０        固定紐
９００        コンパス
【図１】
2004361918.tif 000003
【図２】
2004361918.tif 000004
【図３】
2004361918.tif 000005
【図４】
2004361918.tif 000006
【図５】
2004361918.tif 000007
【図６】
2004361918.tif 000008
【図７】
2004361918.tif 000009
【図８】
2004361918.tif 000010
【図９】
2004361918.tif 000011
【図１０】
2004361918.tif 000012
【図１１】
2004361918.tif 000013
【図１２】
2004361918.tif 000014
【図１３】
2004361918.tif 000015
【図１４】
2004361918.tif 000016
【図１５】
2004361918.tif 000017
【図１６】
2004361918.tif 000018
【図１７】
2004361918.tif 000019
【図１８】
2004361918.tif 000020
【図１９】
2004361918.tif 000021